(57)【特許請求の範囲】
【請求項１】
冷蔵庫の本体と、
この本体の最下室で、下段に引き出し式の食品収納ケースを有する冷凍室と、
前記本体庫内の背面側に設けられ、冷気を生成する冷却器と、前記冷気を前記冷凍室等へ送風する送風機とを有する冷却器室と、
この冷却器の下方で、且つ前記冷凍室の食品収納ケースの後方で、前記冷凍室と機械室とを仕切る断熱材の上面部に全体が密着して埋設され、前記冷却器に付着した霜が解けて落下する除霜水を受け、前記冷却器の下方への投影面積より前面側において小さい面積の水受け部と、
前記水受け部の前面側上部に、該水受け部にラップするように設けられ、前記冷却器の前面側付近から落下する前記除霜水を受けて前記水受け部に導くトイと、
を備えたことを特徴とする冷蔵庫。
【請求項２】
前記冷却器の前面に、前記送風機を支持するファングリルを備え、このファングリルに前記トイを設けたことを特徴とする請求項１記載の冷蔵庫。
【請求項３】
前記ファングリルに前記トイを一体に設けたことを特徴とする請求項２記載の冷蔵庫。
【請求項４】
前記ファングリルに前記トイを別体に設けたことを特徴とする請求項２記載の冷蔵庫。
【請求項５】
冷蔵庫の本体と、
この本体の最下室で、下段に引き出し式の食品収納ケースを有する冷凍室と、
前記本体庫内の背面側に設けられ、冷気を生成する冷却器と、前記冷気を前記冷凍室等へ送風する送風機とを有する冷却器室と、
前記冷却器の前面に設けられ、前記送風機を支持するファングリルと、
この冷却器の下方で、且つ前記冷凍室の食品収納ケースの後方で、前記冷凍室と機械室とを仕切る断熱材の上面部に全体が密着して埋設され、前記冷却器に付着した霜が解けて落下する除霜水を受け、前記冷却器の下方への投影面積より前面側において小さい面積の水受け部と、
前記水受け部の前面側上部に、該水受け部にラップするように前記ファングリルに別体に設けられ、前記冷却器の前面側付近から落下する前記除霜水を受けて前記水受け部に導き、アルミ等の金属で構成したトイと、
前記冷却器と前記トイとの近傍に設けられた霜取りヒータと、
を備えたことを特徴とする冷蔵庫。
【請求項６】
冷蔵庫の本体と、
この本体の最下室で、下段に引き出し式の食品収納ケースを有する冷凍室と、
前記本体庫内の背面側に設けられ、冷気を生成する冷却器と、前記冷気を前記冷凍室等へ送風する送風機とを有する冷却器室と、
前記冷却器の前面に設けられ、前記送風機を支持するファングリルと、
この冷却器の下方で、且つ前記冷凍室の食品収納ケースの後方で、前記冷凍室と機械室とを仕切る断熱材の上面部に全体が密着して埋設され、前記冷却器に付着した霜が解けて落下する除霜水を受け、前記冷却器の下方への投影面積より前面側において小さい面積の水受け部と、
前記水受け部の前面側上部に設けられ、反水受け部側端部を前記ファングリルに当接させ、前記冷却器の前面側付近から落下する前記除霜水を受けて前記水受け部に導くトイと、
を備えたことを特徴とする冷蔵庫。
【請求項７】
前記トイに前記冷却器室への戻り冷気の風路となる切り欠き部を設けたことを特徴とする請求項６記載の冷蔵庫。
【請求項８】
前記冷却器の下方投影部分が、前記水受け部の前面側にはみ出すように前記水受け部を小型化し、前記冷凍室が広くなるように構成したことを特徴とする請求項１記載の冷蔵庫。
【請求項９】
前記トイと前記水受け部とのラップ長さを、前記ファングリルを前記本体に取り付けるネジやリベット等の取り付け長さより長くしたことを特徴とする請求項２記載の冷蔵庫。
【請求項１０】
前記冷凍室に食品収納ケースを備え、この食品収納ケースの背面と前記ファングリルとの隙間を、前記トイと水受け部とのラップ長さより短くしたことを特徴とする請求項２記載の冷蔵庫。
【発明の詳細な説明】
【０００１】
【発明の属する技術分野】
この発明は、冷蔵庫に係り、特に冷却器等に付着した霜を解かした除霜水を受ける水受け部の小型化に関するものである。
【０００２】
【従来の技術】
図５は従来の冷蔵庫を示す要部断面図である。図において、１は冷蔵庫、２は冷蔵庫１の最下室にあたる冷凍室、３は冷凍室２の奥側に配置された冷却器、４は冷却器３に付着した霜を除霜する霜取りヒータ、５は冷却器３下方に配置され略中央が凹形状になった水受け部、６は水受け部５の凹形状部に取り付けられた水路、７は水路６の水受け部５の反対側出口下に位置する蒸発皿、８は圧縮機、９は圧縮機８が配置された機械室、１０は機械室９と冷凍室２を仕切る断熱材、１１は冷凍室２に取り付けられ風路を構成するファングリル、１２はファングリル１１により冷凍室２とを仕切られ冷却器３が配置された冷却器室、１３は冷却器室１２の冷気を冷凍室２に送風する送風機、１４は冷凍室２内に配置された引き出しタイプの食品収納ケース、１５は冷凍室２からの戻り冷気、１６はファングリルより水受け部５の方向に突き出たトイである。
【０００３】
冷却器３により冷却された冷却器室１２の冷気は送風機１３により送風され、ファングリル１１内を通り冷凍室２に送られ、食品収納ケース１４内の食品を冷却し、冷凍室２内を冷却した冷気は、戻り冷気１５として冷却器室１２内に戻る。また戻り冷気１５は、食品収納ケース１４の湿気や食品の出し入れにより冷凍室２内に入り込む湿気も運び入れる。湿気は冷却器３に霜として付着する。冷却器３が霜の付着による能力低下を防ぐ為、圧縮機８の運転時間や一定時間ごとに霜取りヒータ１７の発熱により霜を水滴にして冷却器３より滴下させる。水滴は水受け部５の略中央部に位置る凹形状の最下部の穴より水路６を通り蒸発皿７に排出される。
【０００４】
【発明が解決しようとする課題】
従来の冷蔵庫１は、冷却器２より大きな水受け部５により除霜水を受けていた。その為戻り冷気１５の通り道と食品収納ケース１４がお互いを抑制しあっていた。すなわち、効率的な冷却を行う為に戻り冷気１５の通り道は広くとる必要があり、冷蔵庫１としての使い勝手から食品収納ケース１４の容量はなるべく多くとる必要があるにもかかわらず、どちらも十分にとれていなかった。
【０００５】
この発明は、かかる問題点を解決するためになされたもので、水受け部を小型化して、庫内を広くすると共に、風路抵抗が少なく冷却効率のよい冷蔵庫を提供することを目的とする。
【０００６】
【課題を解決するための手段】
この発明に係る冷蔵庫は、冷蔵庫の本体と、この本体の最下室で、下段に引き出し式の食品収納ケースを有する冷凍室と、本体庫内の背面側に設けられ、冷気を生成する冷却器と、冷気を冷凍室等へ送風する送風機とを有する冷却器室と、この冷却器の下方で、且つ冷凍室の食品収納ケースの後方で、冷凍室と機械室とを仕切る断熱材の上面部に全体が密着して埋設され、冷却器に付着した霜が解けて落下する除霜水を受け、冷却器の下方への投影面積より前面側において小さい面積の水受け部と、水受け部の前面側上部に、水受け部にラップするように設けられ、冷却器の前面側付近から落下する除霜水を受けて水受け部に導くトイとを備えたことを特徴とする。
【０００７】
また、冷却器の前面に、送風機を支持するファングリルを備え、このファングリルにトイを設けたものである。
【０００８】
また、ファングリルにトイを一体に設けたものである。
【０００９】
また、ファングリルにトイを別体に設けたものである。
【００１０】
また、この発明に係る冷蔵庫は、冷蔵庫の本体と、この本体の最下室で、下段に引き出し式の食品収納ケースを有する冷凍室と、本体庫内の背面側に設けられ、冷気を生成する冷却器と、冷気を冷凍室等へ送風する送風機とを有する冷却器室と、冷却器の前面に設けられ、送風機を支持するファングリルと、この冷却器の下方で、且つ冷凍室の食品収納ケースの後方で、冷凍室と機械室とを仕切る断熱材の上面部に全体が密着して埋設され、冷却器に付着した霜が解けて落下する除霜水を受け、冷却器の下方への投影面積より前面側において小さい面積の水受け部と、水受け部の前面側上部に、水受け部にラップするようにファングリルに別体に設けられ、冷却器の前面側付近から落下する除霜水を受けて水受け部に導き、アルミ等の金属で構成したトイと、冷却器とトイとの近傍に設けられた霜取りヒータとを備えたことを特徴とする。
【００１１】
また、この発明に係る冷蔵庫は、冷蔵庫の本体と、この本体の最下室で、下段に引き出し式の食品収納ケースを有する冷凍室と、本体庫内の背面側に設けられ、冷気を生成する冷却器と、冷気を冷凍室等へ送風する送風機とを有する冷却器室と、冷却器の前面に設けられ、送風機を支持するファングリルと、この冷却器の下方で、且つ冷凍室の食品収納ケースの後方で、冷凍室と機械室とを仕切る断熱材の上面部に全体が密着して埋設され、冷却器に付着した霜が解けて落下する除霜水を受け、冷却器の下方への投影面積より前面側において小さい面積の水受け部と、水受け部の前面側上部に設けられ、反水受け部側端部をファングリルに当接させ、冷却器の前面側付近から落下する除霜水を受けて水受け部に導くトイとを備えたことを特徴とする。
【００１２】
また、トイに冷却器室への戻り冷気の風路となる切り欠き部を設けたものである。
【００１３】
また、冷却器の下方投影部分が、水受け部の前面側にはみ出すように水受け部を小型化し、冷凍室が広くなるように構成したものである。
【００１４】
また、トイと水受け部とのラップの長さを、ファングリルを本体に取り付けるネジやリベット等の取り付け長さより長くしたものである。
【００１５】
また、冷凍室に食品収納ケースを備え、この食品収納ケースの背面とファングリルとの隙間を、トイと水受け部とのラップ長さより短くしたものである。
【００１６】
【発明の実施の形態】
実施の形態１．
以下、この発明の実施の形態１を図面を参照して説明する。
図１はこの発明の実施の形態１を示す図で、冷蔵庫の要部断面図である。図において、１は冷蔵庫、２は冷蔵庫１の最下室にあたる冷凍室、３は冷凍室２の奥側に配置された冷却器、４は冷却器３に付着した霜を除霜する霜取りヒータ、５は冷却器３下方に配置され略中央が凹形状になった水受け部、６は水受け部５の凹形状部に取り付けられた水路、７は水路６の水受け部５の反対側出口下に位置する蒸発皿、８は圧縮機、９は圧縮機８が配置された機械室、１０は機械室９と冷凍室２を仕切る断熱材、１１は冷凍室２に取り付けられ風路を構成するファングリル、１２はファングリル１１により冷凍室２とを仕切られ冷却器３が配置された冷却器室、１３は冷却器室１２の冷気を冷凍室２に送風する送風機、１４は冷凍室２内に配置された引き出しタイプの食品収納ケース、１５は冷凍室２からの戻り冷気、１６はファングリル１１と一体で水受け部５の方向に突き出たトイである。
【００１７】
冷却器３により冷却された冷却器室１２の冷気は送風機１３により送風され、ファングリル１１内を通り冷凍室２に送られ、食品収納ケース１４内の食品を冷却し、冷凍室２内を冷却した冷気は戻り冷気１５として冷却器室１２内に戻る。また戻り冷気１５は食品収納ケース１４の湿気や食品の出し入れにより冷凍室２内に入り込む湿気も運び入れる。湿気は冷却器３に霜として付着する。冷却器３が霜の付着による能力低下を防ぐ為、圧縮機８の運転時間や一定時間ごとに霜取りヒータ４の発熱により霜を水滴にして冷却器３より滴下させる。水滴は水受け部５の略中央部に位置る凹形状の最下部の穴より水路６を通り蒸発皿７に排出される。
【００１８】
この実施の形態の冷蔵庫は、冷却器３の下方投影面積より小さい面積の小型の水受け部５となっている。図１では、冷却器３が水受け部５より前面側に寸法Ａだけはみ出している。水受け部５より前面側にはみ出した冷却器３からの水滴はファングリル１１より突き出したトイ１６により水受け部５に流れ込むようにする。トイ１６は寸法Ｂだけ水受け部５内に延出している。
【００１９】
水受け部５を小型化することができることにより、機械室９と冷凍室２とを仕切る断熱材１０を薄くすることが出来、冷凍室２を広く使用することができる。また、冷凍室２からの戻り冷気１５の通る部分の面積が大きくとることができ、抵抗となりにくくすることができる。また、ファングリル１１とトイ１６一体とすることにより安価となる。
【００２０】
実施の形態２．
上記実施の形態１では、トイ１６をファングリル１１に一体に形成したものを示したが、ファングリル１１とトイ１６を別体とすることによりトイの長さの調整が安易であり、霜取りヒータ４の熱による影響を考慮してファングリル１１と異なるアルミ等の材質にすることも可能となる。
【００２１】
実施の形態３．
図２はこの発明の実施の形態３を示す図で、冷蔵庫の要部断面図である。図において、２２は冷凍室庫内壁、２１はファングリル１１を冷凍室庫内壁２２に取り付けるネジ、２０はネジ２１の寸法ｃである。
【００２２】
本実施の形態の冷蔵庫は実施の形態１、２で説明したファングリル１１がネジ２１により冷凍室庫内壁２２に取り付けられ、寸法ｂは寸法ｃより長くしている。
これによりネジ２１が緩んだりした場合でも、ネジ２１によりファングリル１１が取り付けてある限りトイ１６が水受け部５にラップし除霜水が冷凍室２内に流れ出すことは無くなる。また、取り付けばらつきや誤取り付け時でもファングリル１１が付いていれば水漏れの心配がなく安全である。
【００２３】
実施の形態４．
図３はこの発明の実施の形態４を示す図で、冷蔵庫の要部断面図である。
図３は実施の形態１、２で説明したファングリル１１と食品収納ケース１４との関係を示しており、２３はファングリル１１と食品収納ケース１４との間の寸法ｄである。
ファングリル１１と食品収納ケース１４との間の寸法ｄは、ファングリル１１より突き出たトイ１６と水受け部５とのラップした寸法ｂより短い。
【００２４】
これにより使用時によるトラブルにより、ファングリル１１の浮きが発生してトイ１６が水受け部５にラップしなくなっても、食品収納ケース１４が収納されることによりファングリル１１が押されてトイ１６は必ず水受け部５にラップし、除霜水の冷凍室２への流れ出しを防止することができる。
【００２５】
実施の形態５．
図４はこの発明の実施の形態５を示す図で、冷蔵庫の要部断面図である。
実施の形態１に記載のトイ１６をファングリル１１ではなく、水受け部５に一体もしくは別体により形成し部分的に切り欠き部２４を有し、端部２５はファングリル１１に当接する。
戻り冷気１５は、切り欠き部２４により冷凍室２から冷却器室１２に戻る。
また、冷却器室１２の除霜水のうちファングリル１１に伝って流れ落ちてきたものは端部２５が当接されている為トイ１６を伝い水受け部５に流れ落ちる。
【００２６】
上述の実施の形態によれば、冷凍室２が広く使用することができ、食品収納の使い勝手が向上し、戻り冷気１５の通る風路を十分確保することができる。
【００２７】
【発明の効果】
この発明に係る冷蔵庫は、冷却器の前面側付近から落下する除霜水を受けて水受け部に導くトイを設けることにより、水受け部の面積を、前面側において冷却器の下方への投影面積より小さくしたので、冷凍室を広くすることができると共に、冷凍室からの戻り冷気の風路の面積を大きくすることができる。
【００２８】
また、トイをファングリルに一体に設けることにより、安価となる。
【００２９】
また、トイをファングリルに別体に設けることにより、トイの長さの調整が容易であると共に、ファングリルとは別の材質にすることができる。
【００３０】
また、トイをアルミ等の金属にすることにより、霜取りヒータの熱の影響を緩和できる。
【００３１】
また、トイと水受け部とのラップ長さを、ファングリルを本体に取り付けるネジやリベットの取り付け長さより長くしたので、取り付けばらつきや誤取り付け時でも水漏れの心配がなく安全である。
【００３２】
また、食品収納ケースとファングリルとの隙間を、トイと水受け部とのラップ長さより短くしたので、食品収納ケースが収納されていれば、トイは必ず水受け部にラップし、除霜水の冷凍室への流れ出しを防止できる。
【図面の簡単な説明】
【図１】  この発明の実施の形態１を示す冷蔵庫の要部断面図である。
【図２】  実施の形態３を示す要部断面図である。
【図３】  実施の形態４を示す要部断面図である。
【図４】  実施の形態５を示す要部断面図である。
【図５】  従来の冷蔵庫の要部断面図である。
【符号の説明】
１  冷蔵庫、２  冷凍室、３  冷却器、４  霜取りヒータ、５  水受け部、６水路、７  蒸発皿、８  圧縮機、９  機械室、１０  断熱材、１１  ファングリル、１２  冷却器室、１３  送風機、１４  食品収納ケース、１５  戻り冷気、１６  トイ、１８  寸法ａ、１９  寸法ｂ、２０  寸法ｃ、２１  ネジ、２２冷凍室庫内壁、２３  寸法ｄ、２４  切り欠き部、２５  端部。
【図１】
0003662131.tif 000002
【図２】
0003662131.tif 000003
【図３】
0003662131.tif 000004
【図４】
0003662131.tif 000005
【図５】
0003662131.tif 000006